(57)【要約】【課題】  ユーザ信号の伝送特性を向上させる光ネットワークノード装置を実現する。【解決手段】  光ネットワークシステム１００を形成する光ネットワークノード装置１０において、波長多重信号に直接収容されたユーザ光信号（ＮＲＺ光信号）の一部を取り出してクロック抽出を行い、抽出したクロックに応じてユーザ光信号を強度変調して、当該ユーザ光信号（ＮＲＺ光信号）を長距離伝送に適したＣＳ−ＲＺ光信号もしくはＲＺ光信号に変換するので、ユーザ信号の伝送特性を向上させることができる。また、ユーザノード装置側に変更を加えることなくより長距離伝送が可能になるため、経済的なネットワークを容易に構築できる上、波長多重信号の波長をユーザに開放する波長貸しサービスに好適となる。【選択図】  図２
2005252805.tif 000002
【特許請求の範囲】
【請求項１】
波長多重化すべく直接収容されたユーザ光信号の一部を取り出す光分岐手段と、
前記光分岐手段により取り出されたユーザ光信号からクロック信号を抽出するクロック抽出手段と、
前記クロック抽出手段にて抽出されたクロック信号に応じて、ユーザ光信号を強度変調し、当該ユーザ光信号を長距離伝送に適した符号化形式に変換する符号化変換手段と
を具備することを特徴とする光ネットワークノード装置。
【請求項２】
波長多重化すべく直接収容されたユーザ光信号の一部を取り出す光分岐手段と、
前記光分岐手段により取り出されたユーザ光信号からクロック信号を抽出するクロック抽出手段と、
前記クロック抽出手段にて抽出されたクロック信号に応じて、ユーザ光信号を強度変調し、当該ユーザ光信号を長距離伝送に適した符号化形式に変換する符号化変換手段と、
接続先までの伝送距離が短い場合には、直接収容されたユーザ光信号をそのまま波長多重化して伝送し、一方、接続先までの伝送距離が長い場合には前記符号化変換手段によって長距離伝送に適した符号化形式に変換されたユーザ光信号を波長多重化して伝送する伝送手段と
を具備することを特徴とする光ネットワークノード装置。
【請求項３】
波長多重化すべく直接収容されたＮＲＺ符号のユーザ光信号の一部を取り出す光分岐手段と、
前記光分岐手段により取り出されたＮＲＺ符号のユーザ光信号からクロック信号を抽出するクロック抽出手段と、
前記クロック抽出手段にて抽出されたクロック信号を分周したハーフクロックにてＮＲＺ符号のユーザ光信号を強度変調してＣＳ−ＲＺ符号に変換する符号化変換手段と
を具備することを特徴とする光ネットワークノード装置。
【請求項４】
波長多重化すべく直接収容されたＮＲＺ符号のユーザ光信号の一部を取り出す光分岐手段と、
前記光分岐手段により取り出されたＮＲＺ符号のユーザ光信号からクロック信号を抽出するクロック抽出手段と、
前記クロック抽出手段にて抽出されたクロック信号にてＮＲＺ符号のユーザ光信号を強度変調してＲＺ符号に変換する符号化変換手段と
を具備することを特徴とする光ネットワークノード装置。
【請求項５】
前記符号化変換手段は、ＲＺ符号に変換されたユーザ光信号をＣＲＺ符号に変換する光位相変調器を具備することを特徴とする請求項４記載の光ネットワークノード装置。
【請求項６】
ユーザノードの送信側に接続される第１の光ネットワークノード装置と、
ユーザノードの受信側に接続される第２の光ネットワークノード装置とを備え、
第１の光ネットワークノード装置は、ユーザノードから送出されるＮＲＺ符号のユーザ光信号をＣＳ−ＲＺ符号に変換して前記第２の光ネットワークノード装置に波長多重伝送することを特徴とする光ネットワークシステム。
【請求項７】
ユーザノードの送信側に接続される第１の光ネットワークノード装置と、
ユーザノードの受信側に接続される第２の光ネットワークノード装置とを備え、
第１の光ネットワークノード装置は、ユーザノードから送出されるＮＲＺ符号のユーザ光信号をＲＺ符号に変換して前記第２の光ネットワークノード装置に波長多重伝送することを特徴とする光ネットワークシステム。
【請求項８】
ユーザノードの送信側に接続される第１の光ネットワークノード装置と、
ユーザノードの受信側に接続される第２の光ネットワークノード装置とを備え、
前記第２の光ネットワークノード装置は、前記第１の光ネットワークノード装置によって行われた光符号変換とは逆の光符号変換を行うことを特徴とする光ネットワークシステム。
【請求項９】
前記第１の光ネットワークノード装置は、ユーザノードから送出されるＮＲＺ符号のユーザ光信号をＣＳ−ＲＺ符号に変換して波長多重伝送し、
前記第２の光ネットワークノード装置は、ＣＳ−ＲＺ符号のユーザ光信号をＮＲＺ符号に変換してユーザノードへ送出することを特徴とする請求項８記載の光ネットワークシステム。
【請求項１０】
前記第１の光ネットワークノード装置は、ユーザノードから送出されるＮＲＺ符号のユーザ光信号をＲＺ符号に変換して波長多重伝送し、
前記第２の光ネットワークノード装置は、ＲＺ符号のユーザ光信号をＮＲＺ符号に変換してユーザノードへ送出することを特徴とする請求項８記載の光ネットワークシステム。
【発明の詳細な説明】
【技術分野】
【０００１】
本発明は、ユーザ信号を波長チャネルに直接収容して伝送する光ネットワークノード装置および光ネットワークシステムに関する。
【背景技術】
【０００２】
周知のように、波長多重技術を用いた光ネットワークシステムでは、伝送路となる光ファイバ中での波長分散や非線形光学効果の影響により伝送波形が劣化する。その為、従来では、ＮＲＺ（Non Return to Zero）変調に対して非線形光学効果の影響を小さくできるＲＺ（Return to Zero）変調や、さらにＲＺ変調時のスペクトル拡散を小さくして帯域圧縮符号化するＣＳ−ＲＺ（Carrier-Suppressed Return to Zero）変調を利用した高速伝送が行われている。なお、ＣＳ−ＲＺ符号を用いた光変調技術については、例えば特許文献１に開示されている。
【特許文献１】特開２００２−３２８３４８号公報
【発明の開示】
【発明が解決しようとする課題】
【０００３】
ところで、光ネットワークを形成する光ネットワークノード装置は、ユーザノード側から供給されるクライアント信号を電気的に多重化してから高速な波長多重信号に変換し、これを光ファイバで長距離伝送するのが一般的である。長距離伝送には、上述したＣＳ−ＲＺ変調を利用する場合が多い。
一方、ユーザノード側から供給されるクライアント信号（以下、ユーザ信号と称す）は、安価な装置で実現できるＮＲＺ変調を用いているのがほとんどであり、上述したように、ＮＲＺ変調は高速信号の長距離伝送には不向きである。このため、ユーザ信号を光ネットワークノード装置の波長チャネルに直接収容すると、長距離伝送を補償することが出来ないという問題が生じる。
【０００４】
また一方で、光ネットワークにおける波長多重伝送の普及とユーザ信号の大容量化から、波長多重信号の波長をユーザに開放する波長貸しサービスという概念も生れつつあり、その場合、ユーザノード側の装置に変更を加えることなく、ユーザ信号の伝送特性を向上させて長距離伝送する光ネットワークシステムも望まれている。
【０００５】
本発明は、このような事情に鑑みてなされたもので、ユーザ信号の伝送特性を向上させることができる光ネットワークノード装置および光ネットワークシステムを提供することを目的としている。
【課題を解決するための手段】
【０００６】
上記目的を達成するため、請求項１に記載の光ネットワークノード装置では、波長多重化すべく直接収容されたユーザ光信号の一部を取り出す光分岐手段と、前記光分岐手段により取り出されたユーザ光信号からクロック信号を抽出するクロック抽出手段と、前記クロック抽出手段にて抽出されたクロック信号に応じて、ユーザ光信号を強度変調し、当該ユーザ光信号を長距離伝送に適した符号化形式に変換する符号化変換手段とを具備することを特徴とする。
【０００７】
請求項２に記載の光ネットワークノード装置では、波長多重化すべく直接収容されたユーザ光信号の一部を取り出す光分岐手段と、前記光分岐手段により取り出されたユーザ光信号からクロック信号を抽出するクロック抽出手段と、前記クロック抽出手段にて抽出されたクロック信号に応じて、ユーザ光信号を強度変調し、当該ユーザ光信号を長距離伝送に適した符号化形式に変換する符号化変換手段と、接続先までの伝送距離が短い場合には、直接収容されたユーザ光信号をそのまま波長多重化して伝送し、一方、接続先までの伝送距離が長い場合には前記符号化変換手段によって長距離伝送に適した符号化形式に変換されたユーザ光信号を波長多重化して伝送する伝送手段とを具備することを特徴とする。
【０００８】
請求項３に記載の光ネットワークノード装置では、波長多重化すべく直接収容されたＮＲＺ符号のユーザ光信号の一部を取り出す光分岐手段と、前記光分岐手段により取り出されたＮＲＺ符号のユーザ光信号からクロック信号を抽出するクロック抽出手段と、前記クロック抽出手段にて抽出されたクロック信号を分周したハーフクロックにてＮＲＺ符号のユーザ光信号を強度変調してＣＳ−ＲＺ符号に変換する符号化変換手段とを具備することを特徴とする。
【０００９】
請求項４に記載の光ネットワークノード装置では、波長多重化すべく直接収容されたＮＲＺ符号のユーザ光信号の一部を取り出す光分岐手段と、前記光分岐手段により取り出されたＮＲＺ符号のユーザ光信号からクロック信号を抽出するクロック抽出手段と、前記クロック抽出手段にて抽出されたクロック信号にてＮＲＺ符号のユーザ光信号を強度変調してＲＺ符号に変換する符号化変換手段とを具備することを特徴とする。
【００１０】
上記請求項４に従属する請求項５に記載の光ネットワークノード装置では、前記符号化変換手段は、ＲＺ符号に変換されたユーザ光信号をＣＲＺ符号に変換する光位相変調器を具備することを特徴とする。
【００１１】
請求項６に記載の光ネットワークシステムでは、ユーザノードの送信側に接続される第１の光ネットワークノード装置と、ユーザノードの受信側に接続される第２の光ネットワークノード装置とを備え、第１の光ネットワークノード装置は、ユーザノードから送出されるＮＲＺ符号のユーザ光信号をＣＳ−ＲＺ符号に変換して前記第２の光ネットワークノード装置に波長多重伝送することを特徴とする。
【００１２】
請求項７に記載の光ネットワークシステムでは、ユーザノードの送信側に接続される第１の光ネットワークノード装置と、ユーザノードの受信側に接続される第２の光ネットワークノード装置とを備え、第１の光ネットワークノード装置は、ユーザノードから送出されるＮＲＺ符号のユーザ光信号をＲＺ符号に変換して前記第２の光ネットワークノード装置に波長多重伝送することを特徴とする。
【００１３】
請求項８に記載の光ネットワークシステムでは、ユーザノードの送信側に接続される第１の光ネットワークノード装置と、ユーザノードの受信側に接続される第２の光ネットワークノード装置とを備え、前記第２の光ネットワークノード装置は、前記第１の光ネットワークノード装置によって行われた光符号変換とは逆の光符号変換を行うことを特徴とする。
【００１４】
上記請求項８に従属する請求項９に記載の発明では、前記第１の光ネットワークノード装置は、ユーザノードから送出されるＮＲＺ符号のユーザ光信号をＣＳ−ＲＺ符号に変換して波長多重伝送し、前記第２の光ネットワークノード装置は、ＣＳ−ＲＺ符号のユーザ光信号をＮＲＺ符号に変換してユーザノードへ送出することを特徴とする。
【００１５】
上記請求項８に従属する請求項１０に記載の発明では、前記第１の光ネットワークノード装置は、ユーザノードから送出されるＮＲＺ符号のユーザ光信号をＲＺ符号に変換して波長多重伝送し、前記第２の光ネットワークノード装置は、ＲＺ符号のユーザ光信号をＮＲＺ符号に変換してユーザノードへ送出することを特徴とする。
【発明の効果】
【００１６】
請求項１に記載の発明によれば、波長多重化すべく直接収容されたユーザ光信号の一部を取り出し、取り出したユーザ光信号から抽出したクロック信号に応じて、ユーザ光信号を強度変調し、当該ユーザ光信号を長距離伝送に適した符号化形式に変換するので、ユーザ信号の伝送特性を向上させることができる。また、波長多重信号の波長をユーザに開放する波長貸しサービスに好適となるという効果も奏する。
【００１７】
請求項２に記載の発明によれば、接続先までの伝送距離が短い場合には、直接収容されたユーザ光信号をそのまま波長多重化して伝送し、一方、接続先までの伝送距離が長い場合には長距離伝送に適した符号化形式に変換されたユーザ光信号を波長多重化して伝送するので、ユーザ信号の伝送特性を向上させることができる。また、波長多重信号の波長をユーザに開放する波長貸しサービスに好適となるという効果も奏する。
【００１８】
請求項３に記載の発明によれば、波長多重化すべく直接収容されたＮＲＺ符号のユーザ光信号の一部を取り出し、取り出したＮＲＺ符号のユーザ光信号から抽出したクロック信号を分周したハーフクロックにてＮＲＺ符号のユーザ光信号を強度変調してＣＳ−ＲＺ符号に変換するので、ユーザ信号の伝送特性を向上させることができる。また、波長多重信号の波長をユーザに開放する波長貸しサービスに好適となるという効果も奏する。
【００１９】
請求項４に記載の発明によれば、波長多重化すべく直接収容されたＮＲＺ符号のユーザ光信号の一部を取り出し、取り出したＮＲＺ符号のユーザ光信号から抽出したクロック信号にてＮＲＺ符号のユーザ光信号を強度変調してＲＺ符号に変換するので、ユーザ信号の伝送特性を向上させることができる。また、波長多重信号の波長をユーザに開放する波長貸しサービスに好適となるという効果も奏する。
【００２０】
請求項６、７に記載の発明によれば、ユーザノードの送信側に接続される第１の光ネットワークノード装置と、ユーザノードの受信側に接続される第２の光ネットワークノード装置とを備え、第１の光ネットワークノード装置は、ユーザノードから送出されるＮＲＺ符号のユーザ光信号をＣＳ−ＲＺ符号に変換して前記第２の光ネットワークノード装置に波長多重伝送するか、または、ユーザノードから送出されるＮＲＺ符号のユーザ光信号をＲＺ符号に変換して前記第２の光ネットワークノード装置に波長多重伝送することを特徴とする。ユーザノード装置側に変更を加えることなくより長距離伝送が可能になる。加えて、経済的なネットワークを容易に構築できる上、波長多重信号の波長をユーザに開放する波長貸しサービスに好適となるという効果も奏する。
【００２１】
請求項８〜１０に記載の発明によれば、ユーザノードの送信側に接続される第１の光ネットワークノード装置と、ユーザノードの受信側に接続される第２の光ネットワークノード装置とを備え、前記第２の光ネットワークノード装置は、前記第１の光ネットワークノード装置によって行われた光符号変換とは逆の光符号変換を行うので、ユーザノード装置側に変更を加えることなくより長距離伝送が可能になる。加えて、経済的なネットワークを容易に構築できる上、波長多重信号の波長をユーザに開放する波長貸しサービスに好適となるという効果も奏する。
【発明を実施するための最良の形態】
【００２２】
以下、図面を参照して本発明の実施形態について説明する。図１は、本発明の一実施形態による光ネットワークシステム１００の概略構成を示す図である。光ネットワークシステム１００は、伝送媒体である光ファイバを介して互いに接続される複数の光ネットワークノード装置１０と、各光ネットワークノード装置１０に各々接続されるユーザノード２００とから構成される。光ネットワークノード装置１０は、ユーザノード２００からのユーザ光信号を直接収容し、接続先のユーザノード２００が短距離の場合にはそのまま伝送し、接続先のユーザノード２００が長距離の場合には、後述するように、光信号のまま符号化変換されて伝送するようになっている。
【００２３】
図２は、光ネットワークノード装置１０の構成を示すブロック図である。光ネットワークノード装置１０は、低速クライアント信号を電気的に多重化して高速光信号を出力する電気多重回路１１、高速クライアント信号としてＮＲＺ変調されたユーザ光信号を光符号化変換する符号化変換回路１２および電気多重回路１１から出力される高速光信号や符号化変換回路１２にて光符号化変換されたユーザ光信号を波長多重信号に変換する波長多重回路１３から構成される。
【００２４】
本発明の要旨に係わる符号化変換回路１２は、光分岐回路１２０、タイミング抽出回路１２１および光強度変調器１２２から構成される。光分岐回路１２０は、直接収容されたユーザ光信号の一部を取り出す一方、主信号側をそのまま次段へ出力する。タイミング抽出回路１２１は、光分岐回路１２０によって取り出されたユーザ光信号からクロック信号を抽出する。光強度変調器１２２は、タイミング抽出回路１２１が抽出したクロック信号を基に、光分岐回路１２０から出力される主信号の符号を光のまま変換する。光強度変調器１２２は、抽出したクロック信号をフルクロックとして使用し、ＮＲＺ光信号をＲＺ光信号に変換するＲＺ変換回路と、抽出したクロック信号をハーフクロックとして使用し、ＮＲＺ光信号をＣＳ−ＲＺ光信号に変換するＣＳ−ＲＺ変換回路とを備える。また、ＲＺ変換回路に光位相変調器を追加すればＣＲＺ変換も可能となる。これらの光符号変換により、従来のＮＲＺ変調に比べ、何れも伝送特性の向上が見込まれ、より長距離のユーザーノードヘの伝送が可能となる。
【００２５】
次に、図３を参照して、本発明による光ネットワークノード装置１０の実証実験の内容について述べる。図３（ａ）は実証実験系の構成を示すブロック図である。ユーザノード装置２００として４０Ｇｂ／ｓのＮＲＺ光信号の送受信機能を持つ４０Ｇ端局装置を用いた。４０Ｇ端局装置より送出される４０Ｇｂ／ｓのＮＲＺ光信号は、２５ｋｍの光ファイバＤＳＦにて伝送後、本発明による光ネットワークノード装置１０の符号化変換回路１２において２つに分岐される。分岐された一方のＮＲＺ光信号から抽出された２０ＧＨｚのハーフクロックを基に、分岐された他方のＮＲＺ光信号に強度変調を施してＣＳ−ＲＺ変換を行う。これにより得られるＣＳ−ＲＺ光信号は、光増幅器ＥＤＦＡを経て、ネットワークノード間およびネットワークノード／接続先ユーザノード間を模擬した８０ｋｍ光ファイバＤＳＦを伝送した後、４０Ｇ端局装置の受信部にて受信される。
【００２６】
こうした実験系において、ＮＲＺ／ＣＳ−ＲＺ符号変換を行った場合とＮＲＺ光信号のまま伝送した場合との、４０Ｇ端局装置受信部における、受光電力に対する誤り率ＢＥＲを図３（ｂ）に図示する。この図に示すグラフから明らかなように、ＢＥＲ＝１０−１２を達成する受光電力で両者を比較すると、ＮＲＺ光信号のまま伝送した場合に比べ、ＮＲＺ／ＣＳ−ＲＺ符号変換を行った場合におよそ２ｄＢの特性改善が得られ、長距離伝送が可能になることが分かる。なお、本実証実験系の構成では、原理確認のために省略したが、実際には、ＮＲＺ／ＣＳ−ＲＺ変換回路の後段および伝送後のネットワークノード装置１０において、波長多重分離回路を備えるのが一般的である。
【００２７】
上述した実験系では、ＮＲＺ／ＣＳ−ＲＺ符号変換を行った一例について言及したが、本発明の要旨はこれに限定されず、各種変形が可能である。例えばＮＲＺ／ＣＳ−ＲＺ符号変換でなく、ＮＲＺ／ＲＺ符号変換によって光ネットワークノード装置１０がユーザノード装置２００から受信したＮＲＺ光信号をＲＺ光信号に変換して伝送するようにシテも良い。また、例えば図４に図示するように、光ネットワークノード装置１０の伝送において、ＮＲＺ／ＣＳ−ＲＺ符号変換およびＣＳ−ＲＺ／ＮＲＺ符号変換する態様も可能である。
すなわち、ユーザノード装置２００より送出される４０Ｇｂ／ｓ  ＮＲＺ光信号が光ファイバＤＳＦにて伝送後、光ネットワークノード装置１０の符号化変換回路１２−１において２つに分岐され、分岐された一方のＮＲＺ光信号から抽出された２０ＧＨｚのハーフクロックを基に、分岐された他方のＮＲＺ光信号に強度変調を施してＣＳ−ＲＺ変換を行い、ＣＳ−ＲＺ光信号に変換する。
【００２８】
ＣＳ−ＲＺ光信号は、光増幅器ＥＤＦＡにて信号増幅されてからネットワークノード間を模擬した光ファイバＤＳＦを経て別の光ネットワークノード装置１０に伝送される。別の光ネットワークノード装置１０の符号化変換回路１２−２では、ＣＳ−ＲＺ光信号を２つに分岐し、分岐された一方のＣＳ−ＲＺ光信号から抽出された２０ＧＨｚのハーフクロックを基に、分岐された他方のＣＳ−ＲＺ光信号に強度変調を施してＲＺ光信号に変換する。この後、ＲＺ光信号を光フィルタに通過させてＮＲＺ光信号に変換した後、接続先のユーザノード装置２００（４０Ｇ受信端局）に伝送する。
【００２９】
ＣＳ−ＲＺ／ＮＲＺ符号変換する符号化変換回路１２−２は、図５に図示するように、ＣＳ−ＲＺ／ＲＺ変換回路１２−２ａおよびＲＺ／ＮＲＺ変換回路１２−２ｂから構成される。ここで、ＣＳ−ＲＺ／ＲＺ変換回路１２−２ａは、図１に図示した符号化変換回路１２と同一の構成であり、ＣＳ−ＲＺ光信号が入力される場合に、その入力のハーフクロックにて強度変調すると、ＲＺ変換が行われる。ＲＺ／ＮＲＺ変換回路１２−２ｂは、図６に図示する透過特性を備える光フィルタから構成されており、この光フィルタでＲＺ光信号をフィルタリングすることでＮＲＺ光信号を得る。
【００３０】
次に、図７は、光ネットワークノード装置１０の伝送において、ＮＲＺ／ＲＺ符号変換およびＲＺ／ＮＲＺ符号変換する構成を示すブロック図である。この場合、ユーザノード装置２００より送出される４０Ｇｂ／ｓ  ＮＲＺ光信号が光ファイバＤＳＦにて伝送後、光ネットワークノード装置１０の符号化変換回路１２−１において２つに分岐され、分岐された一方のＮＲＺ光信号から抽出された４０ＧＨｚのフルクロックを基に、分岐された他方のＮＲＺ光信号に強度変調を施してＲＺ光信号に変換する。
【００３１】
ＲＺ光信号は光増幅器ＥＤＦＡにて信号増幅してからネットワークノード間を模擬した光ファイバＤＳＦを経て別の光ネットワークノード装置１０に伝送される。別の光ネットワークノード装置１０の符号化変換回路１２−３では、図８に図示する構成のＲＺ／ＮＲＺ変換回路（図５のＲＺ／ＮＲＺ変換回路１２−２ｂと同一）、すなわち図６に図示する透過特性を備える光フィルタでＲＺ光信号をフィルタリングしてＮＲＺ光信号に変換した後、接続先のユーザノード装置２００（４０Ｇ受信端局）に伝送する。
【００３２】
以上説明したように、本実施形態では、光ネットワークシステム１００を形成する光ネットワークノード装置１０において、波長多重信号に直接収容されたユーザ光信号（ＮＲＺ光信号）の一部を取り出してクロック抽出を行い、抽出したクロックに応じてユーザ光信号を強度変調して、当該ユーザ光信号（ＮＲＺ光信号）を長距離伝送に適したＣＳ−ＲＺ光信号もしくはＲＺ光信号に変換するので、ユーザ信号の伝送特性を向上させることができる。また、ユーザノード装置側に変更を加えることなくより長距離伝送が可能になるため、経済的なネットワークを容易に構築できる上、波長多重信号の波長をユーザに開放する波長貸しサービスに好適となる、という効果も奏する。
【図面の簡単な説明】
【００３３】
【図１】本発明の一実施形態による光ネットワークシステム１００の概略構成を示す図である。
【図２】光ネットワークノード装置１０の構成を示すブロック図である。
【図３】実証実験系の内容を説明するための図である。
【図４】ＮＲＺ／ＣＳ−ＲＺ符号変換およびＣＳ−ＲＺ／ＮＲＺ符号変換する一例を示す図である。
【図５】ＣＳ−ＲＺ／ＲＺ変換回路１２−２ａおよびＲＺ／ＮＲＺ変換回路１２−２ｂの構成を示すブロック図である。
【図６】ＲＺ／ＮＲＺ変換回路１２−２ｂが備える光フィルタの透過特性を示す図である。
【図７】ＮＲＺ／ＲＺ符号変換およびＲＺ／ＮＲＺ符号変換する構成を示すブロック図である。
【図８】符号化変換回路１２−３の構成を示すブロック図である。
【符号の説明】
【００３４】
１０  光ネットワークノード装置
１１  電気多重回路
１２  符号化変換回路
１２０  光分岐回路
１２１  タイミング抽出回路
１２２  光強度変調器
１３  波長多重回路
１００  光ネットワーク
【図１】
2005252805.tif 000003
【図２】
2005252805.tif 000004
【図３】
2005252805.tif 000005
【図４】
2005252805.tif 000006
【図５】
2005252805.tif 000007
【図６】
2005252805.tif 000008
【図７】
2005252805.tif 000009
【図８】
2005252805.tif 000010